(57)【特許請求の範囲】
【請求項１】
基盤上に弾性支持されるケーシングと、該ケーシング内を上下方向に上室と下室の２室に区画するとともに、該上下室間を連通する孔が複数設けられた多孔板と、前記下室の側面部に設けられた空気の供給口と、前記多孔板を振動させる振動源とを備え、処理物を前記多孔板上に供給し、該多孔板を振動させることにより前記処理物を振動させてこれを一方向に移動させ、前記供給口から前記ケーシング内に空気を供給して該処理物の乾燥又は冷却処理を行う振動処理装置において、
前記下室の側面部に前記供給口を前記下室内に延出する導入管を設けるとともに、該導入管の周面に内外を貫通する複数の開口部を設けており、
前記導入管が前記開口部の位置を調整可能とするよう周方向に回転可能に支持されていることを特徴とする振動処理装置。
【請求項２】
基盤上に弾性支持されるケーシングと、該ケーシング内を上下方向に上室と下室の２室に区画するとともに、該上下室間を連通する孔が複数設けられた多孔板と、前記下室の側面部に設けられた空気の供給口と、前記多孔板を振動させる振動源とを備え、処理物を前記多孔板上に供給し、該多孔板を振動させることにより前記処理物を振動させてこれを一方向に移動させ、前記供給口から前記ケーシング内に空気を供給して該処理物の乾燥又は冷却処理を行う振動処理装置において、
前記下室の側面部に前記供給口を前記下室内に延出する導入管を設けるとともに、該導入管の周面に内外を貫通する複数の開口部を設けており、
前記導入管の前記下室内又は小室内への延出長さを前記多孔板の有効幅をカバーする長さに設定したことを特徴とする振動処理装置。
【請求項３】
請求項２に記載の振動処理装置であって、前記導入管が前記開口部の位置を調整可能とするよう周方向に回転可能に支持されていることを特徴とする振動処理装置。
【請求項４】
請求項１から請求項３のいずれか一項に記載の振動処理装置であって、 前記下室内は複数の小室に区画され、各小室の側面部に空気の供給口がそれぞれ設けられ、各供給口にそれぞれ前記導入管が設けられることを特徴とする振動処理装置。
【発明の詳細な説明】
【０００１】
【発明の属する技術分野】
この発明は、合成樹脂等からなる粉状、粒状の処理物を振動させた状態で空気と混合させることにより乾燥処理又は冷却処理する振動処理装置に関するものである。
【０００２】
【従来の技術】
この種の振動処理装置の一例を図３及び図４に示す。すなわち、この振動処理装置３５は、ケーシング３６と、ケーシング３６を基盤４９上に弾性支持する防振装置４７と、ケーシング３６内を上下方向に上室４０と下室４１の２室に区画するとともに、上下室４０、４１間を連通する孔が複数設けられた多孔板３９と、下室４１の側面部に設けられる空気の供給口４２と、上室４０に設けられる処理物の投入口３７と、上室４０に設けられる処理物の排出口３８と、多孔板３９を振動させる振動源４５と、供給口４２に空気を供給する空気供給源（図示せず）とから構成されている。
【０００３】
そして、合成樹脂等からなる粉状又は粒状の処理物を投入口３７から上室４０内に投入し、振動源４５を作動させて多孔板３９を振動させ、処理物を多孔板３９上で振動させて排出口３８の方向へ移動させ、この状態で空気供給源を作動させて空気を供給口４２から下室４１内に供給し、この空気を下室４１から多孔板３９に作用させて上室４０内に流入させ、この際空気と処理物とを混合させることにより、処理物を乾燥又は冷却処理することができるものである。
【０００４】
【発明が解決しようとする課題】
しかしながら、上記のような構成の従来の振動処理装置３５にあっては、空気を供給口４２のみから下室４１内に流入させているために、下室４１内に流入する空気の流れが一方向に制限されてしまう。このため、多孔板３９の一部に空気の流れが集中してしまい、上室４０の全体に空気を均一に分散させることができなくなり、上室４０内における多孔板３９上の処理物全体に空気を効率良く混合させることができなくなり、処理物の乾燥又は冷却処理が不完全となり、処理不良の処理物が生産されてしまう。そして、このような処理物の処理不良を防止するためには、処理物の乾燥又は冷却処理時間を長くとらなければならず、処理物の乾燥又は冷却処理の効率が大幅に低下し、生産効率が大幅に低下してしまう。
【０００５】
この発明は、上記のような従来の問題に鑑みなされたものであって、多孔板の一部に空気の流れが集中するのを防止し、これにより処理物全体に空気を効率的に混合させて処理物の乾燥又は冷却処理不良が生じるのを防止する一方、処理物の乾燥又は冷却処理に要する時間の大幅なに短縮を図り、処理物の乾燥又は冷却処理の効率を高めて生産性を大幅に向上させることができる振動処理装置を提供することを目的とするものである。
【０００６】
【発明を解決するための手段】
上記課題を解決するためにこの発明は、以下の手段を採用している。請求項１に係る発明は、基盤上に弾性支持されるケーシングと、該ケーシング内を上下方向に上室と下室の２室に区画するとともに、該上下室間を連通する孔が複数設けられた多孔板と、前記下室の側面部に設けられた空気の供給口と、前記多孔板を振動させる振動源とを備え、処理物を前記多孔板上に供給し、該多孔板を振動させることにより前記処理物を振動させてこれを一方向に移動させ、前記供給口から前記ケーシング内に空気を供給して該処理物の乾燥又は冷却処理を行う振動処理装置において、前記下室の側面部に前記供給口を前記下室内に延出する導入管を設けるとともに、該導入管の周面に内外を貫通する複数の開口部を設けており、前記導入管が前記開口部の位置を調整可能とするよう周方向に回転可能に支持されていることを特徴とする。
この発明に係る振動処理装置によれば、供給口に空気を供給すると、その空気は供給口から導入管内に流入し、導入管の開口部から下室内に流入し、下室内を流れて多孔板の全体に作用して上室内に流入し、上室内における多孔板上の処理物と混合されることになる。
この発明による振動処理装置によれば、導入管を回転させて開口部の位置を調整し、空気の流出方向を適宜調整することが可能である。
【０００７】
請求項２に係る発明は、基盤上に弾性支持されるケーシングと、該ケーシング内を上下方向に上室と下室の２室に区画するとともに、該上下室間を連通する孔が複数設けられた多孔板と、前記下室の側面部に設けられた空気の供給口と、前記多孔板を振動させる振動源とを備え、処理物を前記多孔板上に供給し、該多孔板を振動させることにより前記処理物を振動させてこれを一方向に移動させ、前記供給口から前記ケーシング内に空気を供給して該処理物の乾燥又は冷却処理を行う振動処理装置において、前記下室の側面部に前記供給口を前記下室内に延出する導入管を設けるとともに、該導入管の周面に内外を貫通する複数の開口部を設けており、前記導入管の前記下室内又は小室内への延出長さを前記多孔板の有効幅をカバーする長さに設定したことを特徴とする。
この発明による振動処理装置によれば、導入管の先端の開口部及び周面の開口部から下室内又は小室内に流入する空気の流れは、多孔板の有効幅の全体に作用し、多孔板の有効幅の全体から上室側に流入し、上室内の処理物と混合されることになる。
【０００８】
請求項３に係る発明は、請求項２に記載の振動処理装置であって、前記導入管が前記開口部の位置を調整可能とするよう周方向に回転可能に支持されていることを特徴とする。
この発明による振動処理装置によれば、導入管を回転させて開口部の位置を調整し、空気の流出方向を適宜調整することが可能である。
【０００９】
請求項４に係る発明は、請求項１から請求項３のいずれか一項に記載の振動処理装置であって、 前記下室内は複数の小室に区画され、各小室の側面部に空気の供給口がそれぞれ設けられ、各供給口にそれぞれ前記導入管が設けられることを特徴とする。
この発明による振動処理装置によれば、各供給口に空気を供給すると、その空気は各供給口から導入管内に流入し、導入管の開口部から小室内に流入し、各小室内を流れて多孔板の全体に作用して上室内における多孔板上の処理物と効率的に混合されることになる。
【００１０】
【発明の実施の形態】
以下、図面に示すこの発明の実施の形態について説明する。
図１及び図２には、この発明による振動処理装置の一実施の形態が示されていて、この振動処理装置１は、ケーシング２と、ケーシング２を基盤３２上に弾性支持する防振装置３０と、ケーシング２内を上下方向に上室９と下室１０の２室に区画する多孔板７と、多孔板７を振動させる振動源２１と、下室１０に設けられる空気の供給口１４と、供給口１４に設けられる導入管１５と、供給口１４へ空気を供給する空気供給源２２と、上室９に設けられる処理物３１の投入口４と、上室９に設けられる処理物３１の排出口５と、上室９に設けられる空気の排気口６とから構成されている。
【００１１】
ケーシング２は、上ケーシング３と下ケーシング１３とから構成されるものであって、内部に密閉された空間が形成されるようになっている。ケーシング２は、防振装置３０を介して基盤３２上に弾性支持され、ケーシング２の振動が基盤３２側に伝達するのを防止するようになっている。防振装置３０としては、ゴム、スプリング、それらを組み合わせたもの等が使用されるが、これに限定することなく、ケーシング２からの振動を減衰することができる機能を有するもの（例えば、各種のマウント等）であれば良いものである。
【００１２】
上ケーシング３と下ケーシング１３との間には多孔板７が設けられ、この多孔板７によってケーシング２内の空間が上ケーシング３の内側に位置する上室９と下ケーシング１３の内側に位置する下室１０の２室に区画されている。
【００１３】
多孔板７は、複数箇所に貫通孔８が設けられる板状をなすものであって、この貫通孔８を介して上室９と下室１０との間が相互に連通され、この貫通孔８を介して下室１０から上室９内へ空気が流入するようになっている。多孔板７上に投入される処理物３１は、多孔板７が振動することにより、排出口５の方向に移動させられるようになっている。
【００１４】
上ケーシング３の一端部には、上室９内外を貫通する処理物３１の投入口４が設けられ、この投入口４から上室９内に合成樹脂、カーボン、ガラス繊維、鋳物砂、洗剤、薬剤等の粉状又は粒状の処理物３１が投入されるようになっている。投入口４は、配管２７、振動フィーダー２６等を介して処理物３１の貯蔵タンク２５に接続されている。
【００１５】
上ケーシング３の他端部には、上室９内外を貫通する処理物３１の排出口５が設けられ、この排出口５を介して上室９内で乾燥又は冷却処理の終了した処理物３１が上室９外に排出されるようになっている。
【００１６】
上ケーシング３の上部には空気の排気口６が設けられている。排気口６には配管２９が接続され、配管２９には排気ブロア２８が設けられている。
【００１７】
下ケーシング１３の内側に位置する下室１０は、仕切り板１１によって３つの小室１２に区画されている。各小室１２の側面中央部に対応する下ケーシング１３の部分には、各小室１２内外を水平方向から貫通する空気の供給口１４が設けられている。
【００１８】
各供給口１４にはそれぞれ導入管１５が水平に装着され、この導入管１５によって各供給口１４が小室１２内に延出されている。
【００１９】
導入管１５は、筒状をなすものであって、軸線方向の先端に内外を貫通する開口部１６が設けられるとともに、周面の複数箇所に内外を貫通する開口部１７が設けられ、これらの開口部１６、１７を介して導入管１５内に供給された空気が小室１２内に流入するようになっている。
【００２０】
導入管１５は、小室１２の底部に設けられる支持台１８上に載置されて、開口部１７の位置を調整可能とするように周方向に回転可能かつ所定の位置に位置決め可能となっている。導入管１５は、金属、合成樹脂、ゴム等からなるバンド１９によって支持台１８上に固定されるようになっている。導入管１５の長さは多孔板７の有効幅をカバーする長さに設定されている。
【００２１】
供給口１４に対向する小室１２の側面部に対応する下ケーシング１３の部分には小室１２内外を貫通する点検口２０が設けられ、この点検口２０を介して小室１２内の導入管１５のメンテナンス、すなわち導入管１５の周方向に対する位置の調整などを行うことができるようになっている。
【００２２】
各供給口１４は、配管２３、流量調整バルブ２４等を介して空気供給源２２に接続され、空気供給源２２の作動時に配管２３、流量調整バルブ２４等を介して空気が各供給口１４に供給されるようになっている。
【００２３】
下ケーシング１３の側面部には振動源である振動モータ２１が設けられ、この振動モータ２１の作動時に多孔板７が斜め上方、斜め下方に振動し、この多孔板７の振動により投入口４から上室９内に投入された処理物３１が多孔板７上において排出口５方向へ進行するようになっている。
【００２４】
そして、上記のように構成したこの実施の形態による振動処理装置１を用いて処理物３１の乾燥又は冷却処理を行うには、処理物３１を貯蔵タンク２５から振動フィーダー２６、配管２７等を介して投入口４に導き、投入口４から上室９内に投入し、振動モータ２１を作動させて多孔板７を振動させ、処理物３１を排出口５方向へ進行させる。
【００２５】
この際、空気供給源２２を作動させて配管２３、流量調整バルブ２４等を介して供給口１４に空気を供給し、この空気を供給口１４から導入管１５内に流入させ、導入管１５の開口部１６、１７を介して小室１２内に流入させ、小室１２内を介して多孔板７に作用させ、多孔板７の各貫通孔８を介して上室９内に流入させ、上室９内における多孔板７上の処理物３１と混合させ、処理物３１の乾燥又は冷却処理を行う。
【００２６】
この場合、導入管１５には軸線方向の先端に開口部１６が設けられるとともに、周面の複数箇所にも開口部１７が設けられ、これらの開口部１６、１７を介して空気が小室１２内に流入することになるので、小室１２内において様々な方向への空気の流れを形成することができ、空気を小室１２内の全体に拡散させることができることになる。したがって、空気を多孔板７の全体に作用させることができるので、多孔板７の全体を介して空気を上室９内の全体に流入させて、上室９内の処理物３１と混合させることができることになる。
【００２７】
そして、このような処理物３１の乾燥又は冷却処理を各小室１２に対応する上室９の３つの区域内で順次行うことで、処理物の乾燥又は冷却処理が終了し、この後に処理物３１は排出口５から上室９外に排出され、回収されることになる。
【００２８】
上記のように構成したこの実施の形態による振動処理装置１にあっては、空気の供給口１４に導入管１５を装着し、その導入管１５を周方向に回転可能かつ所定の位置に固定可能としたことにより、導入管１５の周面の開口部１７を周方向の任意の位置に位置決めすることができることになる。
【００２９】
したがって、導入管１５の開口部１６、１７から小室１２内に流入する空気の流れを様々な方向とすることができ、しかも、導入管１５の長さは多孔板７の有効幅（ケーシング内において使用可能な幅）をカバーする長さに設定されているので、空気を小室１２の全体に拡散させることができ、この拡散させた空気を多孔板７の全体に作用させて、多孔板７の全体を介して上室１２内に流入させることができることになる。この結果、上室９内の処理物３１の全体に小室１２からの空気を効率良く混合させることができるので、処理物３１の乾燥又は冷却処理を確実に行うことができることになる。そして、処理物の乾燥又は冷却処理不良が生じるようなことはないので、処理物３１の乾燥又は冷却処理に要する時間を大幅に短縮することができ、処理物３１の乾燥又は冷却処理効率を大幅に高めることができ、生産性を大幅に高めることができることになる。
【００３０】
また、導入管１５から小室１２内に流入する空気を小室１２の全体に拡散させることができるので、空気の流量を少なくしても十分な処理能力が得られることになる。したがって、処理物３１の乾燥又は冷却処理に要するエネルギーが少なくて済むので、経済的な装置を提供することができることになる。
【００３１】
なお、前記の説明においては、下室１０を３つの小室１２に区画したが、下室１０を２つ以下、４つ以上の小室１２に区画しても良いものであり、その場合にも同様の効果が得られるのは勿論のことである。
【００３２】
【発明の効果】
以上述べたように、本発明によれば、導入管の周面に内外を貫通する複数の開口部を設けたことにより、導入管の周面の開口部を下室内の様々な方向に向けることができることになる。したがって、導入管の開口部から下室（小室）内に流入する空気の流れを様々な方向とすることができるので、下室（小室）の全体に空気を拡散させることができ、この拡散させた空気を多孔板の全体に作用させて多孔板の全体を介して上室内の全体に流入させ、上室内の処理物の全体と効率良く混合させることができることになる。この結果、処理物の乾燥又は冷却処理不良が生じるようなことがなくなるので、処理物の乾燥又は冷却処理に要する時間を大幅に短縮することができ、処理物の乾燥又は冷却処理効率を大幅に高めることができ、生産性を大幅に高めることができることになる。
【００３３】
また、導入管が開口部の位置を調整可能とするよう周方向に回転可能に支持されているため、導入管を回転させて開口部の位置を調整し、空気の流出方向を適宜調整することができる。
【００３４】
さらに、導入管の下室内又は小室内への延出長さを多孔板の有効幅をカバーする長さに設定したことにより、導入管の開口部から下室内又は小室内に流出する空気を下室又は小室の全体を使って多孔板の全体に作用させることができることになる。したがって、多孔板を介して上室内の全体に空気を確実に流入させることができるので、上室内の処理物の全体に空気を確実に混合させることができ、処理物の乾燥又は冷却処理を確実に行うことができることになる。
【図面の簡単な説明】
【図１】  この発明による振動処理装置の一実施の形態の全体を示した概略図である。
【図２】  図１に示す振動処理装置の部分拡大断面図である。
【図３】  従来の振動処理装置の一例を示した正面図である。
【図４】  図３に示す振動処理装置の部分拡大断面図である。
【符号の説明】
１…振動処理装置
２…ケーシング
４…投入口
５…排出口
７…多孔板
９…上室
１０…下室
１２…小室
１４…供給口
１５…導入管
１６、１７…開口部
２０…点検口
２１…振動源（振動モータ）
３１…処理物
３２…基盤
【図１】
0004749618.tif 000002
【図２】
0004749618.tif 000003
【図３】
0004749618.tif 000004
【図４】
0004749618.tif 000005